(57)【要約】      （修正有）【課題】鉄板や線材等を巻装したようなコイル状物を包装するための包装用シートに関し、この種鉄板や線材等の金属製のコイル状物に必要な強度等を維持しつつ、製品である包装用シートの製造コストを極力低減させる。【解決手段】鉄板コイル、線材コイル等を巻装して筒状とした筒状コイルの外周面及び側端面を被覆するとともに、側端面から内周面側に折り込んで筒状コイルを包装する筒状コイルの包装用シートであって、筒状コイルの内周面側に折り込まれる折込シート部が、筒状コイルの外周面及び側端面を被覆する被覆シート部よりも強度の弱い素材で構成されている。【選択図】図１
0003112634.tif 000002
【実用新案登録請求の範囲】
【請求項１】
鉄板コイル、線材コイル等を巻装して筒状とした筒状コイル（６）の外周面（６ａ）及び側端面（６ｂ）を被覆するとともに、該側端面（６ｂ）から内周面（６ｃ）側に折り込んで前記筒状コイル（６）を包装する筒状コイルの包装用シートであって、前記筒状コイル（６）の内周面（６ｃ）側に折り込まれる折込シート部（２ａ）が、前記筒状コイル（６）の外周面（６ａ）及び側端面（６ｂ）を被覆する被覆シート部（１ａ）よりも強度の弱い素材で構成されていることを特徴とする筒状コイルの包装用シート。
【請求項２】
鉄板コイル、線材コイル等を巻装して筒状とした筒状コイル（６）の外周面（６ａ）及び側端面（６ｂ）を被覆するとともに、該側端面（６ｂ）から内周面（６ｃ）側に折り込んで前記筒状コイル（６）を包装する筒状コイルの包装用シートであって、前記筒状コイル（６）の内周面（６ｃ）側に折り込まれる折込シート部（２ａ）が、前記筒状コイル（６）の外周面（６ａ）及び側端面（６ｂ）を被覆する被覆シート部（１ａ）とは異なる素材で構成されていることを特徴とする筒状コイルの包装用シート。
【請求項３】
鉄板コイル、線材コイル等を巻装して筒状とした筒状コイル（６）の外周面（６ａ）及び側端面（６ｂ）を被覆するとともに、該側端面（６ｂ）から内周面（６ｃ）側に折り込んで前記筒状コイル（６）を包装する筒状コイルの包装用シートであって、前記筒状コイル（６）の内周面（６ｃ）側に折り込まれる折込シート部（２ａ）を形成するための１対の折込シート部形成片（２），（２）が、前記筒状コイル（６）の外周面（６ａ）及び側端面（６ｂ）を被覆する被覆シート部（１ａ）を形成する被覆シート部形成片（１）の両側縁に、シール部（３），（３）で熱溶着されることによって取り付けられていることを特徴とする筒状コイルの包装用シート。
【請求項４】
鉄板コイル、線材コイル等を巻装して筒状とした筒状コイル（６）の外周面（６ａ）及び側端面（６ｂ）を被覆するとともに、該側端面（６ｂ）から内周面（６ｃ）側に折り込んで前記筒状コイル（６）を包装する筒状コイルの包装用シートであって、前記筒状コイル（６）の内周面（６ｃ）側に折り込まれる折込シート部（２ａ）を形成するための折込シート部形成片（２）が１枚のシートであって、前記筒状コイル（６）の外周面（６ａ）及び側端面（６ｂ）を被覆する被覆シート部（１ａ）を形成する被覆シート部形成片（１）よりも長く形成され、且つ前記折込シート部形成片（２）の両側が前記被覆シート部形成片（１）の両外側に延出されるように、該折込シート部形成片（２）が前記被覆シート部形成片（１）に重ね合わせて貼着され、前記被覆シート部形成片（１）の両外側に延出された折込シート部形成片（２）の延出部分が、折込シート部（２ａ），（２ａ）として形成されていることを特徴とする筒状コイルの包装用シート。
【請求項５】
被覆シート部（１ａ）が、発泡スプリットヤーンで織成された合成樹脂製クロス（４）に、合成樹脂製フィルム（５）をラミネートして構成されている請求項１乃至４のいずれかに記載の筒状コイルの包装用シート。
【請求項６】
折込シート部（２ａ）が、非発泡のポリオレフィン系合成樹脂糸で織成された合成樹脂製クロスで構成されている請求項１乃至５のいずれかに記載の筒状コイルの包装用シート。
【請求項７】
折込シート部（２ａ）が、防水性素材で構成されている請求項１乃至６のいずれかに記載の筒状コイルの包装用シート。
【請求項８】
被覆シート部（１ａ）及び折込シート部（２ａ）に防錆剤が具備されている請求項１乃至７のいずれかに記載の筒状コイルの包装用シート。
【考案の詳細な説明】
【技術分野】
【０００１】
本考案は、筒状コイルの包装用シート、さらに詳しくは、鉄板や線材等を巻装したよう
なコイル状物を包装するための包装用シートに関する。
【背景技術】
【０００２】
従来、この種の鉄板や線材等のコイル状物を包装する包装材料としては、クレープ紙又はクラフト紙等や合成樹脂製クロスに対し、合成樹脂製フィルム等をラミネートしたような複合材料からなる包装用シートが用いられている。このような複合材料で上記のような包装用シートが構成されているのは、被包装物である筒状コイルが、上記のような鉄板や線材等の金属製品からなるものであるため、そのような金属製コイル状物を包装する材料には必然的に所定の強度や厚み等が要求されることとなるからである。
【０００３】
しかしながら、近年では合成樹脂材料からなる包装材料の製造コストを低減させることが限界となって、そのコストが徐々に上昇しつつあるという現象が生じている。従って、合成樹脂製品を扱うどの業界においても、包装材料自体の高騰化に伴い、製品自体のコストをいかにして低減させるかが重要な課題となっている。
【０００４】
上記のような鉄板や線材等のコイル状物を包装する包装シートの場合も、製品コストの
低減が課題であることは他の分野の包装材料と同様であるが、この種の包装用シートには、上述のような所定の強度や厚み等が要求されるので、コストを低減させるにも限界がある。特に上記のような鉄板や線材等の金属製品には錆の発生という問題があるので、近年では
この種のコイル状物の包装シートには防錆剤が具備されることが多く、それ故にコストを
低減させることが一層困難となっている。このため、他の手段によって製品コストを低減
させることが強く要望されるようになっている。
【考案の開示】
【考案が解決しようとする課題】
【０００５】
本考案は、このような点に鑑みてなされたもので、この種鉄板や線材等の金属製のコイル状物に必要な強度等を維持しつつ、製品である包装用シートの製造コストを極力低減させることを課題とするものである。
【課題を解決するための手段】
【０００６】
本考案の対象とする筒状コイルの包装用シートは、上述のように鉄板コイル、線材コイル等を巻装して筒状とした筒状コイルの外周面及び側端面を被覆するとともに、その側端面からさらに内周面側に折り込んで、被包装物である筒状コイルを包装するものである。
そして、包装後は倉庫等で保管され、出荷の際に、輸送車等に積載されて輸送されることとなる。そして、このような保管や輸送は、多数の筒状コイルがそれぞれ包装用シートで包装された状態でなされている。このように取り扱われるので、筒状コイルの外周面及び側端面を被覆する包装用シートの被覆シート部は、他の筒状コイルを包装している包装用シートと接触し、或いは取り扱い時に外部からの衝撃や力等がかかる場合もあり、そのような場合には破損するおそれも生じ得る。
【０００７】
これに対して、筒状コイルの内周面側に折り込まれる折込シート部は、外部に裸出していないので、他の筒状コイルを包装している包装用シートを接触することは一切なく、また取り扱い時に外部からの衝撃や力等がかかることもない。
【０００８】
そこで本考案者等は、このような点に着目し、コイルの外周面及び側端面を被覆する被覆シート部には金属製の被包装物を包装するのに必要な所定の強度がどうしても必要であるが、コイルの内周面側に折り込まれる折込シート部には、上記被覆シート部ほどの強度は必ずしも必要ではないとの着想から本考案を完成するに至ったのである。
【０００９】
すなわち、請求項１記載の考案は、鉄板コイル、線材コイル等を巻装して筒状とした筒状コイル６の外周面６ａ及び側端面６ｂを被覆するとともに、該側端面６ｂから内周面６ｃ側に折り込んで前記筒状コイル６を包装する筒状コイルの包装用シートであって、前記筒状コイル６の内周面６ｃ側に折り込まれる折込シート部２ａが、前記筒状コイル６の外周面６ａ及び側端面６ｂを被覆する被覆シート部１ａよりも強度の弱い素材で構成されていることを特徴とする。
【００１０】
また請求項２記載の考案は、鉄板コイル、線材コイル等を巻装して筒状とした筒状コイル６の外周面６ａ及び側端面６ｂを被覆するとともに、該側端面６ｂから内周面６ｃ側に折り込んで前記筒状コイル６を包装する筒状コイルの包装用シートであって、前記筒状コイル６の内周面６ｃ側に折り込まれる折込シート部２ａが、前記筒状コイル６の外周面６ａ及び側端面６ｂを被覆する被覆シート部１ａとは異なる素材で構成されていることを特徴とする。
【００１１】
また請求項３記載の考案は、鉄板コイル、線材コイル等を巻装して筒状とした筒状コイル６の外周面６ａ及び側端面６ｂを被覆するとともに、該側端面６ｂから内周面６ｃ側に折り込んで前記筒状コイル６を包装する筒状コイルの包装用シートであって、前記筒状コイル６の内周面６ｃ側に折り込まれる折込シート部２ａを形成するための１対の折込シート部形成片２，２が、前記筒状コイル６の外周面６ａ及び側端面６ｂを被覆する被覆シート部１ａを形成する被覆シート部形成片１の両側縁に、シール部３，３で熱溶着されることによって取り付けられていることを特徴とする。
【００１２】
さらに請求項４記載の考案は、鉄板コイル、線材コイル等を巻装して筒状とした筒状コイル６の外周面６ａ及び側端面６ｂを被覆するとともに、該側端面６ｂから内周面６ｃ側に折り込んで前記筒状コイル６を包装する筒状コイルの包装用シートであって、前記筒状コイル６の内周面６ｃ側に折り込まれる折込シート部２ａを形成するための折込シート部形成片２が１枚のシートであって、前記筒状コイル６の外周面６ａ及び側端面６ｂを被覆する被覆シート部１ａを形成する被覆シート部形成片１よりも長く形成され、且つ前記折込シート部形成片２の両側が前記被覆シート部形成片１の両外側に延出されるように、該折込シート部形成片２が前記被覆シート部形成片１に重ね合わせて貼着され、前記被覆シート部形成片１の両外側に延出された折込シート部形成片２の延出部分が、折込シート部２ａ，２ａとして形成されていることを特徴とする。
【００１３】
さらに請求項５記載の考案は、請求項１乃至４のいずれかに記載の筒状コイルの包装用シートにおいて、被覆シート部１ａが、発泡スプリットヤーンで織成された合成樹脂製クロス４に、合成樹脂製フィルム５をラミネートして構成されていることを特徴とする。さらに請求項６記載の考案は、請求項１乃至５のいずれかに記載の筒状コイルの包装用シートにおいて、折込シート部２ａが、非発泡のポリオレフィン系合成樹脂糸で織成された合成樹脂製クロスで構成されていることを特徴とする。
【００１４】
さらに請求項７記載の考案は、請求項１乃至６のいずれかに記載の筒状コイルの包装用シートにおいて、折込シート部２ａが、防水性素材で構成されていることを特徴とする。
さらに、請求項８記載の考案は、請求項１乃至７記載の筒状コイルの包装用シートにおいて、被覆シート部１ａ及び折込シート部２ａに防錆剤が具備されていることを特徴とする。
【考案の効果】
【００１５】
請求項１記載の考案では、上述のように折込シート部が被覆シート部よりも強度の弱い素材で構成されているため、折込シート部の素材を被覆シート部の素材よりも安価な材料で構成することができ、その分、包装用シート全体の製造コストを従来に比べて低減しうることとなった。
【００１６】
また請求項２記載の考案では、折込シート部が被覆シート部と異なる素材で構成されているため、折込シート部の素材を被覆シート部の素材よりも安価な材料で構成することができ、その分、包装用シート全体の製造コストを従来に比べて低減しうる。
【００１７】
さらに請求項３記載の考案では、折込シート部を形成するための１対の折込シート部形成片が、被覆シート部を形成する被覆シート部形成片の両側縁に、シール部で熱溶着されることによって取り付けられているため、折込シート部と被覆シート部とはそれぞれ別体の折込シート部形成片、及び被覆シート部形成片で構成されることとなり、折込シート部形成片と被覆シート部形成片とを異材質の材料で構成することにより、折込シート部形成片を被覆シート部形成片よりも安価な素材とすることができ、その分、包装用シート全体の製造コストを従来に比べて低減しうることとなる。
【００１８】
さらに請求項４記載の考案では、折込シート部を形成するための折込シート部形成片が１枚のシートであって、被覆シート部を形成する被覆シート部形成片よりも長く形成され、且つ折込シート部形成片の両側が被覆シート部形成片の両外側に延出されるように、折込シート部形成片が被覆シート部形成片に重ね合わせて貼着され、被覆シート部形成片の両外側に延出された折込シート部形成片の延出部分が、折込シート部として形成されたものであるため、この請求項４記載の考案においても折込シート部と被覆シート部とはそれぞれ別体の折込シート部形成片、及び被覆シート部形成片で構成されることとなり、請求項２記載の考案の場合と同様に、折込シート部形成片を被覆シート部形成片よりも安価な素材とすることができ、その分、包装用シート全体の製造コストを従来に比べて低減しうることとなる。
【００１９】
さらに請求項５記載の考案のように、被覆シート部を発泡スプリットヤーンで織成された合成樹脂製クロスに、合成樹脂製フィルムをラミネートして構成した場合には、発泡スプリットヤーンで織成された合成樹脂製クロスの緩衝作用によって、外部からの衝撃や力に対する耐久力を維持させることができる。
【００２０】
さらに請求項６記載の考案のように、折込シート部が、汎用品である非発泡のポリオレフィン系合成樹脂糸で織成された合成樹脂製クロスで構成されている場合には、折込シート部の製造コストを好適に低減させることができる。
【００２１】
さらに請求項７記載の考案のように、折込シート部を防水性素材で構成した場合には、特に結露の発生等によって水分が付着し易い金属製筒状コイルの内面側における防水効果を維持することができるという効果がある。
【００２２】
さらに請求項８記載の考案のように、被覆シート部及び折込シート部に防錆剤が具備されている場合には、金属製筒状コイルの表面における錆の発生を好適に防止することができるという効果がある。
【考案を実施するための最良の形態】
【００２３】
以下、本考案の実施形態について、図面に従って説明する。
【００２４】
（実施形態１）
本実施形態の筒状コイルの包装用シートは、図１及び図２に示すように、後述する筒状コイル６の外周面６ａ及び側端面６ｂを被覆する被覆シート部１ａを形成するための被覆シート部形成片１の両側縁に、前記筒状コイル６の内周面６ｃ側に折り込まれる折込シート部２ａを形成するための１対の折込シート部形成片２，２が、シール部３，３で熱溶着されることによって取り付けられた構成からなるものである。
【００２５】
被覆シート部１ａを形成する被覆シート部形成片１は、図３に示すように、発泡スプリットヤーンで織成された合成樹脂製クロス４に、合成樹脂製フィルム５をラミネートして構成された複合素材からなるものである。また折込シート部形成片２は、非発泡のポリオレフィン系合成樹脂糸で織成された合成樹脂製クロスで構成されたものである。
【００２６】
このような構成からなる本実施形態の包装用シートは、図４に示すように、被覆シート部形成片１で形成される被覆シート部１ａによって筒状コイル６の外周面６ａ及び側端面６ｂを被覆し、さらに該被覆シート部１ａに前記シール部３，３を介して連設された前記
折込シート部形成片２，２で形成される両側の折込シート部２ａ，２ａを、前記筒状コイル６の内周面６ｃ側に折り込むことによって、被包装物である筒状コイル６を包装するものである。
【００２７】
この場合において、図４に示されるように、被覆シート部形成片１は、筒状コイル６の外周面６ａ及び側端面６ｂに位置しており、且つその側端面６ｂから内周面６ｃ側にわずかに折り込まれており、その被覆シート部形成片１が発泡スプリットヤーンで織成された合成樹脂製クロス４に合成樹脂製フィルム５をラミネートして構成されているので、発泡スプリットヤーンで織成された合成樹脂製クロスの緩衝作用によって、外部からの衝撃や力に対する耐久力は十分に維持されている。
【００２８】
一方、汎用品である非発泡のポリオレフィン系合成樹脂糸で織成された合成樹脂製クロスで構成されている折込シート部形成片２，２は、同図に示すように筒状コイル６の内周面６ｃのみに位置しているので、その折込シート部形成片２，２は外部に裸出することがなく、従って他の筒状コイルを包装している包装用シートと接触するようなことがなく、また取り扱い時に外部からの衝撃や力等がかかることもない。従って、この種の鉄板、洗浄コイル等の金属製筒状コイルの包装用シートとしての機能が何ら損なわれることがないのである。
【００２９】
このため、折込シート部形成片２，２を上記のようなポリオレフィン系合成樹脂糸で織成された比較的安価な素材である合成樹脂製クロスで構成することができるので、その分、
折込シート部の製造コストを低減させることができ、その結果、包装用シート全体の製造コストを低減させることもできるのである。
【００３０】
（実施形態２）
本実施形態では、図５に示すように、折込シート部２ａを形成するための折込シート部形成片２が１枚のシートとして形成されており、その折込シート部形成片２は、被覆シート部１ａを形成する被覆シート部形成片１よりも長く形成されている。
【００３１】
また折込シート部形成片２の両側が前記被覆シート部形成片１の両外側に延出されるように、前記折込シート部形成片２が前記被覆シート部形成片１に重ね合わせて貼着され、その被覆シート部形成片１の両外側に延出された折込シート部形成片２の延出部分が、折込シート部２ａ，２ａとして形成されている。
【００３２】
被覆シート部形成片１や折込シート部形成片２の素材は、実施形態１と同じものが用いられている。
【００３３】
本実施形態の包装用シートで筒状コイル６を包装する場合には、図示はしていないが、被覆シート部形成片１が折込シート部形成片２の外側に位置し、且つ該被覆シート部形成片１によって筒状コイル６の外周面６ａ及び側端面６ｂが被覆されるように、筒状コイル６が包装用シートで包装される。そして、被覆シート部形成片１の両外側に延出された折込シート部形成片２の延出部分、すなわち折込シート部２ａ，２ａが、筒状コイル６の内周面６ｃ側に折り込まれることとなる。
【００３４】
本実施形態においても、筒状コイル６の外周面６ａ及び側端面６ｂに位置している被覆シート部形成片１が発泡スプリットヤーンで織成された合成樹脂製クロス４を具備しているので外部からの衝撃や力に対する耐久力が維持され、また折込シート部２ａ，２ａは安価な非発泡のポリオレフィン系合成樹脂糸で織成された合成樹脂製クロスで構成されているので、包装用シート全体の製造コストを低減させることができる。
【００３５】
（その他の実施形態）
尚、上記実施形態では、被覆シート部形成片１が、発泡スプリットヤーンで織成された合成樹脂製クロス４に、合成樹脂製フィルム５をラミネートして構成されていたが、被覆シート部形成片１の材質は上記実施形態に限定されるものではない。たとえば合成樹脂製クロス４は発泡フラットヤーンで構成することも可能である。
【００３６】
また、合成樹脂製クロス４を構成する合成樹脂としては、たとえばポリエチレンやポリプロピレン等のポリオレフィン系合成樹脂が用いられ、またこれ以外の合成樹脂を用いることも可能である。同様に、ラミネートされる合成樹脂製フィルム５を構成する合成樹脂にも、ポリエチレンやポリプロピレン等のポリオレフィン系合成樹脂を使用することができ、これ以外の合成樹脂を使用することもできる。
【００３７】
さらに、被覆シート部形成片１には、上記のような合成樹脂の他、たとえばクラフト紙やクレープ紙のような紙を具備させて構成してもよい。
【００３８】
さらに、上記実施形態では折込シート部形成片２が、非発泡のポリオレフィン系合成樹脂糸で織成された合成樹脂製クロスで構成されていたが、折込シート部形成片２の材質も該実施形態に限定されるものではない。尚、ポリオレフィン系合成樹脂糸で織成された合成樹脂製クロスにも一応の防水効果があるが、コストが増大しない範囲において、より防水効果に優れた材質のものを使用することが好ましい。折込シート部で被覆される筒状コイル６の内面側６ｃは、特に結露の発生等によって水分が付着し易いからである。
【００３９】
さらに、被覆シート部形成片１と折込シート部形成片２のいずれか一方、又は双方に防錆剤を具備させることも可能である。防錆剤は、たとえば練り込みによって具備される他、
噴霧によって液状の防錆剤が合成樹脂に付着されることにより防錆剤を具備させることも可能である。防錆剤が噴霧により付着されて構成されている。防錆剤の種類は特に限定されるものではないが、たとえばメタライトＡ（商品名：堀富商工株式会社製）を用いることが可能である。このような防錆剤を具備させることによって、被包装物の防錆効果が良好になるという効果が得られる。
【００４０】
さらに、本考案の包装材は、鉄板コイルや線材コイル等の金属製品を包装することを主眼とするものであるが、他の筒状コイルの包装に使用することも可能であり、要は筒状コイルであれば、あらゆる種類の被包装物に対して適用することが可能である。
【図面の簡単な説明】
【００４１】
【図１】一実施形態としての包装用シートの概略平面図。
【図２】図１のＡ−Ａ線断面図。
【図３】被覆シート部形成片の要部拡大断面図。
【図４】使用状態を示す断面図。
【図５】他実施形態の断面図。
【符号の説明】
【００４２】
１…被覆シート部形成片      １ａ…被覆シート部
２…折込シート部形成片      ２ａ…折込シート部
３…シール部                ４…合成樹脂製クロス
６…筒状コイル              ６ａ…筒状コイルの外周面
６ｂ…筒状コイルの側端面    ６ｃ…筒状コイルの内周面
【図１】
0003112634.tif 000003
【図２】
0003112634.tif 000004
【図３】
0003112634.tif 000005
【図４】
0003112634.tif 000006
【図５】
0003112634.tif 000007
【手続補正書】
【提出日】平成17年5月23日(2005.5.23)
【手続補正１】
【補正対象書類名】実用新案登録請求の範囲
【補正対象項目名】全文
【補正方法】変更
【補正の内容】
【実用新案登録請求の範囲】
【請求項１】
鉄板コイル、線材コイル等を巻装して筒状とした筒状コイル（６）の外周面（６ａ）及び側端面（６ｂ）を被覆するとともに、該側端面（６ｂ）から内周面（６ｃ）側に折り込んで前記筒状コイル（６）を包装する筒状コイルの包装用シートであって、前記筒状コイル（６）の内周面（６ｃ）側に折り込まれる折込シート部（２ａ）を形成するための１対の折込シート部形成片（２），（２）が、前記筒状コイル（６）の外周面（６ａ）及び側端面（６ｂ）を被覆する被覆シート部（１ａ）を形成する被覆シート部形成片（１）の両側縁に、シール部（３），（３）で熱溶着されることによって取り付けられていることを特徴とする筒状コイルの包装用シート。
【請求項２】
鉄板コイル、線材コイル等を巻装して筒状とした筒状コイル（６）の外周面（６ａ）及び側端面（６ｂ）を被覆するとともに、該側端面（６ｂ）から内周面（６ｃ）側に折り込んで前記筒状コイル（６）を包装する筒状コイルの包装用シートであって、前記筒状コイル（６）の内周面（６ｃ）側に折り込まれる折込シート部（２ａ）を形成するための折込シート部形成片（２）が１枚のシートであって、前記筒状コイル（６）の外周面（６ａ）及び側端面（６ｂ）を被覆する被覆シート部（１ａ）を形成する被覆シート部形成片（１）よりも長く形成され、且つ前記折込シート部形成片（２）の両側が前記被覆シート部形成片（１）の両外側に延出されるように、該折込シート部形成片（２）が前記被覆シート部形成片（１）に重ね合わせて貼着され、前記被覆シート部形成片（１）の両外側に延出された折込シート部形成片（２）の延出部分が、折込シート部（２ａ），（２ａ）として形成されていることを特徴とする筒状コイルの包装用シート。
【請求項３】
被覆シート部（１ａ）が、発泡スプリットヤーンで織成された合成樹脂製クロス（４）に、合成樹脂製フィルム（５）をラミネートして構成されている請求項１又は２記載の筒状コイルの包装用シート。
【請求項４】
折込シート部（２ａ）が、非発泡のポリオレフィン系合成樹脂糸で織成された合成樹脂製クロスで構成されている請求項１乃至３のいずれかに記載の筒状コイルの包装用シート。
【請求項５】
折込シート部（２ａ）が、防水性素材で構成されている請求項１乃至４のいずれかに記載の筒状コイルの包装用シート。
【請求項６】
被覆シート部（１ａ）及び折込シート部（２ａ）に防錆剤が具備されている請求項１乃至５のいずれかに記載の筒状コイルの包装用シート。